(57)【要約】【課題】超小型で薄型のプリンタを実現する。又、乾電池の交換が行い易く、乾電池を逆に装着した場合でも逆通電することもなく、故障を防止する。【解決手段】記録媒体が、印刷状態において略水平に搬送され印刷を行うモバイルプリンタにおいて、記録媒体保管部の幅方向両側に電池スペースを配置し、該電池スペースは片側に少なくとも複数の乾電池を直列に配置することが可能で、且つ、複数の電池のうち少なくとも１つの電池を搭載する電池ケースを備え、該電池ケースがスライド可能な構成とした。該電池ケースは、電池の電極に接触する端子を有し、電池のプラス電極が接触する端子は前記電池ケースのハウジングから凹に構成され、電池のマイナス電極が接触する端子は前記電池ケースのハウジングから凸に構成されている電池ケースである。【選択図】図２
2005238731.tif 000002
【特許請求の範囲】
【請求項１】
記録媒体が、印刷状態において略水平に搬送され印刷を行うプリンタにおいて、
記録媒体保管部の幅方向両側に電池スペースを配置し、該電池スペースは片側に少なくとも複数の乾電池を直列に配置することが可能で、且つ、複数の電池のうち少なくとも１つの電池を保持する電池ケースを備え、該電池ケースがスライド可能になっていることを特徴とするプリンタ。
【請求項２】
前記電池ケースは、電池の電極に接触する端子を有し、電池のプラス電極が接触する端子は前記電池ケースのハウジングから凹に構成され、電池のマイナス電極が接触する端子は前記電池ケースのハウジングから凸に構成されている電池ケースであることを特徴とする請求項１記載のプリンタ。
【発明の詳細な説明】
【技術分野】
【０００１】
本発明は、持ち運び可能なプリンタに関し、詳しくは、乾電池で駆動可能なプリンタの電池ケースの構成に関する。
【背景技術】
【０００２】
従来、乾電池駆動可能なプリンタ、或はプリンタに限らず民生機器において乾電池部分の構成は、電池のプラス極とマイナス極に対応した接点が本体側に配置され、ユーザーの目視、或は簡単な識別ラベルによる判別で、乾電池の逆入れによる逆通電防止を行っているものが殆どであった。
【０００３】
又、中には、乾電池のプラス極とマイナス極の形状の違いを利用して、電池を逆に入れたときには電池の電極が接触しないようにしているものもあった。
【０００４】
近年プリンタにおいても装置の小型化、低消費電力化が図られ、乾電池で駆動可能なプリンターが提案されている。その超小型プリンターにおいて装置のレイアウトを考えると、装置をより薄く、より小型に見せるために、特許文献１に示されるように、記録媒体の搬送経路を略水平に構成されているものが殆どである。これは記録媒体をＵターン或はＪターンさせると高さ方向でどうしても装置が大きくなってしまうため、水平に搬送するようにしている。このような形態のプリンタで、且つ、該プリンタが乾電池駆動が可能なものであるときに、図３に示すように、記録媒体は記録エンジン部の幅方向の略中央に位置することが多いので、乾電池の配置場所としては記録媒体の搬送方向と直角方向（以下、幅方向）に配置するのが装置の小型化には最も有効な手段である。又、同図に示すように、乾電池の必要本数が例えば４本であった場合は、記録媒体の幅方向両側に乾電池を配置するのが最も小型化が可能である。
【０００５】
【特許文献１】特開２００２−０５９６２０号公報
【発明の開示】
【発明が解決しようとする課題】
【０００６】
しかしながら、上述した構成において、装置のパワーキー、プリント情報を表示する液晶等が乾電池の上部に配置されるため、乾電池を直列に入れるためには、前記部材の下に乾電池をスライドさせ、もぐり込ませる必要があった。この場合、乾電池をスライドで入れるために乾電池の逆入れを防止するための表示が見にくく、乾電池の逆入れによる逆通電防止策をとることが非常に困難で、乾電池を逆入れで電源を投入され使用された場合、乾電池の液漏れ等により正しく動作しない場合がある。
【０００７】
本発明は上記問題に鑑みてなされたもので、その目的とする処は、超小型で薄型であって、乾電池の交換を行い易く、更には乾電池を逆に装着した場合でも逆通電することがないプリンタを提供することにある。
【課題を解決するための手段】
【０００８】
上記目的を達成するため、本発明は、記録媒体が、印刷状態において略水平に搬送され印刷を行うプリンタにおいて、記録媒体保管部の幅方向両側に電池スペースを配置し、該電池スペースは片側に少なくとも複数の乾電池を直列に配置することが可能で、且つ、複数の電池のうち少なくとも１つの電池を保持する電池ケースを備え、該電池ケースがスライド可能になっていることを特徴とする。
【発明の効果】
【０００９】
本発明によれば、記録媒体が、印刷状態において略水平に搬送され印刷を行うモバイルプリンタにおいて、記録媒体保管部の幅方向両側に電池スペースを配置し、該電池スペースは片側に少なくとも複数の乾電池を直列に配置することが可能で、且つ、複数の電池のうち少なくとも１つの電池を搭載する電池ケースを備え、該電池ケースがスライド可能とした。
【００１０】
又、前記池ケースは、電池の電極に接触する端子を有し、電池のプラス電極が接触する端子は前記電池ケースのハウジングから凹に構成され、電池のマイナス電極が接触する端子は前記電池ケースのハウジングから凸に構成されている電池ケースである。
【００１１】
このような構成にしたことにより、超小型で薄型のプリンタが実現できるとともに、乾電池の交換が行い易く、更には万が一、乾電池を逆に装着した場合でも逆通電されることもなく、故障することもなくなる。
【発明を実施するための最良の形態】
【００１２】
本発明の実施の形態を図１に示す。１は電池カバー、２はロワーカバー、３はアッパーカバーである。
【００１３】
図２は電池交換のために電池カバー１を開けた状態である。４ａ〜４ｄは乾電池、５は操作キー、６は記録用紙を載せるための用紙トレイである。図３はアッパーカバー３を取り除いた図である。同図において、７は記録を行うエンジン部分である。
【００１４】
これらの図に示すように、超小型の記録装置を実現するために、記録エンジン部分７を記録用紙トレイ６は略水平に配置される。更に、乾電池を配置しようとした場合、用紙トレイ６の幅方向のスペースが電池を収めるのに非常に有効なスペースとなることが分かる。
【００１５】
このような構成とすることにより、乾電池で駆動可能な記録装置において、非常に小型且つ非常に本体高さの薄い記録装置を実現することができる。又、薄い記録装置を実現するために各種操作キー５をエンジン７の上部に配置することは避けた。つまり、前記乾電池４のスペースの上部に配置すると、更に薄い記録装置を実現することができた。
【００１６】
次に、乾電池の交換の手順を以下に示す。
【００１７】
先ず、電池カバー１に設けられたレバー１ａを指で移動し、電池カバー１を図１中の矢印Ａ方向に引っ張る。それから電池カバー１を上に持ち上げ、ヒンジを中心にして回転させる（図２）。すると、電池ケース８が露出する。この状態で、ユーザーは古い１本目の乾電池４ａを本体から抜き取る（図６）。その後、ユーザーは電池ケース８の指がかり部分８ａを持って、図６の矢印Ｂ方向に電池ケース８をスライドさせる（図７）。そして、古い２本目の乾電池４ｂを本体から取り出す。新しい電池の装着に関しては前述したことを逆に行えば良い。つまり、１本目を電池ケース８に入れ、電池ケース８をスライドし、２本目を装着する。これを記録媒体の左右の乾電池（４ｃ，４ｄ）について行う。
【００１８】
このように、超小型を狙うために乾電池を装置本体のアッパーカバー３の中にもぐり込ませる構成のプリンタにおいても、電池ケース８をスライドできる構成としたので乾電池４の装着が行い易い。
【００１９】
乾電池装着後は操作キー５を押し、電源を投入し、不図示のパソコン、或はデジタルカメラ等から送られた印刷データの印刷を開始する。
【００２０】
次に、万一ユーザーが乾電池を逆向きに装着した場合の説明を行う。
【００２１】
図８は電池ケース８の周りの拡大図、更に図９は電池ケース８内の接点部分の拡大図である。ユーザーによって万が一乾電池を逆に装着されたときは、本来乾電池のプラス電極が当接するプラス接点９ａにマイナス電極がくるので、電池ケースのハウジング８ｂにマイナス電極が当接し、電池ケース８の端子９には乾電池が当接しない。よって、回路上、切断されることになり、電源を投入することができず、乾電池の液漏れ等の発生を防ぐことができる。
【産業上の利用可能性】
【００２２】
本発明は、乾電池で駆動可能で、持ち運び可能なプリンタに対して適用可能である。
【図面の簡単な説明】
【００２３】
【図１】本発明の実施例の斜視図である。
【図２】本発明の実施例の電池ケースを開けた状態を示す斜視図である。
【図３】本発明の実施例のアッパーカバーを取り除いた状態を示す斜視図である。
【図４】本発明の実施例のアッパーカバーを取り除いた状態を示す上面図である。
【図５】本発明の実施例の電池ケースを開けた状態を示す電池ケース部分の拡大図である。
【図６】本発明の実施例の電池を取り外した状態を示す電池ケース部分の拡大図である。
【図７】本発明の実施例の電池ケースをスライドさせた状態を示す電池ケース部分の拡大図である。
【図８】本発明の実施例の電池を取り除いた状態を示す電池ケース部分の上面図である。
【図９】本発明の実施例の電池を取り除いた状態を示す電池ケース部分の拡大図である。
【符号の説明】
【００２４】
１    電池カバー
２    ロワーカバー
３    アッパーカバー
４ａ〜４ｄ  乾電池
５    操作キー
６    用紙トレイ
７    エンジン
８    電池ケース
８ａ  指がかり部分
８ｂ  電池ケースハウジング
９    電池ケースの接点
９ａ  プラス接点
１０  ばね接点
１１  接点
【図１】
2005238731.tif 000003
【図２】
2005238731.tif 000004
【図３】
2005238731.tif 000005
【図４】
2005238731.tif 000006
【図５】
2005238731.tif 000007
【図６】
2005238731.tif 000008
【図７】
2005238731.tif 000009
【図８】
2005238731.tif 000010
【図９】
2005238731.tif 000011